【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  ディスク本体がカートリッジに収納されたカートリッジディスクを再生及び／又は記録する第１再生記録機構を備え、  この第１再生記録機構は、前記カートリッジディスクの記録部に対向配置されたトラバース機構と、このトラバース機構に対して前記カートリッジディスクを挟んで対向配置され前記カートリッジディスクをクランプするクランプ機構とを有し、このクランプ機構は前記カートリッジディスクをクランプする際に前記カートリッジディスクを前記トラバース機構側に付勢する押さえ部材を有することを特徴とする再生記録装置。
【請求項２】  ディスク本体がカートリッジに収納されたカートリッジディスク又はベアディスクを再生及び／又は記録する第１再生記録機構を備え、  この第１再生記録機構は、前記カートリッジディスク又は前記ベアディスクの記録部に対向配置されたトラバース機構と、このトラバース機構に対して前記カートリッジディスク又は前記ベアディスクを挟んで対向配置され前記カートリッジディスク又は前記ベアディスクをクランプするクランプ機構とを有し、このクランプ機構は前記カートリッジディスクをクランプする際に前記カートリッジディスクを前記トラバース機構側に付勢する押さえ部材を有することを特徴とする再生記録装置。
【請求項３】請求項１又は２に記載の再生記録機構において、  前記第１再生記録機構をディスク出入口側に配置し、このディスク出入口から前記第１再生記録機構を挟んで奥側にベアディスクを再生及び／又は記録する第２再生記録機構を配置することを特徴とする再生記録機構。
【請求項４】請求項３記載の再生記録装置において、  前記クランプ機構は、ディスクを保持する保持部と、この保持部を前記カートリッジディスクが装着される第１ディスクトレイに対して近接離隔する近接離隔機構とを備え、この近接離隔機構は、前記保持部を前記第１ディスクトレイから離隔する寸法を前記ベアディスクを装着した第２ディスクトレイが前記ディスク出入口と前記第２再生記録機構との間を移動するために十分な寸法としたことを特徴とする再生記録装置。
【請求項５】請求項１から４のいずれかに記載の再生記録装置において、  前記第１ディスクトレイの上に前記第２ディスクトレイが重ねられた状態で１つのディスク出入口から出し入れ可能とされたことを特徴とする再生記録装置。
【請求項６】請求項５に記載の再生記録装置において、  前記カートリッジディスクは青色レーザ光で再生及び／又は記録するディスクであり、前記ベアディスクは青色レーザ光又は赤色レーザ光で再生及び／又は記録するディスクであることを特徴とする再生記録装置。
【請求項７】請求項５又は６に記載の再生記録装置において、  前記第１ディスクトレイに第２ディスクトレイを重ねた状態でロックするロック機構を備えたことを特徴とする再生記録装置。
【請求項８】請求項７記載の再生記録装置において、  前記ロック機構は前記第１ディスクトレイに設けられ先端部に係合突起が形成された弾性爪部材と、前記第２ディスクトレイに形成され前記係合突起が係合可能とされた係合孔とを備えたことを特徴とする再生記録装置。
【請求項９】請求項８記載の再生記録装置において、  前記弾性爪部材は前記カートリッジディスクの位置決めを兼ねていることを特徴とする再生記録装置。
【請求項１０】請求項３から９のいずれかに記載の再生記録装置において、  前記第２ディスクトレイを前記ディスク出入口側に移動させる第２トレイ移動機構と、前記第２ディスクトレイを重ねた状態で第１ディスクトレイを前記ディスク出入口側に移動させる第１トレイ移動機構とを備え、前記第１トレイ移動機構は、駆動源と、この駆動源に連結される第１歯車機構と、この第１歯車機構に噛合され前記第１ディスクトレイに設けられた第１トレイラックとを備え、前記第２トレイ移動機構は、駆動源と、この駆動源に連結される第２歯車機構と、この第２歯車機構に噛合され前記第２ディスクトレイに設けられた第２トレイラックとを備え、前記第２歯車機構は前記第１ディスクトレイが前記第２ディスクトレイを重ねた状態で前記ディスク出入口に移動する際に前記第２トレイラックからの駆動力を前記駆動源から負荷なく引き離すための空回り機構を備えたことを特徴とする再生記録装置。
【請求項１１】請求項１０に記載の再生記録装置において、  前記空回り機構は、ベース歯車と、このベース歯車と同軸上であって前記ベース歯車に対して回動可能に設けられた空転歯車と、前記第２ディスクトレイを前記ディスク出入口に移動させる際の前記ベース歯車の回転方向とは同方向に前記空転歯車を付勢する付勢手段とを備えたことを特徴とする再生記録装置。
【請求項１２】請求項２から１１のいずれかに記載の再生記録装置において、  前記第１再生記録機構と前記第２再生記録機構とをそれぞれ第１の位置と第２の位置との４位置に移動させる４位置移動機構を備え、  この４位置移動機構は、１つの駆動源と、この駆動源に連結されるピニオンと、このピニオンに噛合する第１ラックと、この第１ラックと前記第２再生記録機構とを連結するとともに第１ラックの移動に伴って前記第２再生移動機構を第１の位置と第２の位置との間で移動させる第１カム機構と、前記ピニオンに噛合する第２ラックと、この第２ラックと前記第１再生記録機構とを連結するとともに第２ラックの移動に伴って前記第１再生記録機構を第１の位置と第２の位置との間で移動させる第２カム機構と、前記ピニオンに噛合するとともに前記第１ラックとは前記ピニオンを挟んで対向配置された第３ラックと、この第３ラックと前記第２再生記録機構とを連結するとともに第３ラックの移動に伴って前記第２再生記録機構を第２の位置と第１の位置との間で移動させる第３カム機構と、前記第１ラックと前記ピニオンとの噛合から前記第２ラックと前記ピニオンとの噛合へ切り換える第１切換機構と、前記第２ラックと前記ピニオンとの噛合から前記第３ラックと前記ピニオンとの噛合へ切り換える第２切換機構とを備えたことを特徴とする再生記録装置。
【請求項１３】
請求項１又は２に記載の再生記録機構において、
前記クランプ機構はディスクを保持する保持部と、
前記保持部を昇降させる昇降機構と、
前記保持部の昇降と前記押え部材の付勢を同期させる同期機構と、を有することを特徴とする再生記録装置。
【請求項１４】
請求項１３に記載の再生記録機構において、
前記クランプ機構は中心部に円形開口部と、該円形開口部に沿った円筒部と、該円筒部に形成された係合溝とを有する円盤部材を有し、
前記昇降機構は前記係合溝と係合する係合ピンを備え、
前記円盤部材が回動することで前記保持部が昇降されることを特長とする再生記録装置。
【請求項１５】
請求項１４に記載の再生記録機構において、
前記押え部材にはアーム部と、該アーム部に形成された突起部を有し、
前記同期機構は前記突起部と当接するカム部を前記円盤部材に有し、
前記円盤部材が回動することで前記アーム部を前記トラバース機構側に付勢することを特長とする再生記録装置。
【請求項１６】
前記保持部が前記ディスクを保持しない状態において、前記アーム部は前記トラバース機構側とは反対側に付勢されていることを特長とする再生記録装置。
【請求項１７】
前記前記クランプ機構は前記カートリッジディスクが装着される第１ディスクトレイと、
前記第１ディスクトレイの移動に伴って前記円盤部材を回動させる連動機構を有することを特長とする請求項１６に記載の再生記録装置。